(57)【要約】【課題】排泄物がウエストバンド側に滲み出すことによって排泄物が肌に付着することを抑制できる使い捨ておむつを提供する。【解決手段】使い捨ておむつ(10)は、吸収コア(31)と、吸収コアよりも肌対向面側に位置する肌面側シート(20)と、後胴回り域において、肌面側シートよりも肌対向面側に位置し、幅方向に伸縮するウエストバンド(80)と、を有する。ウエストバンドは、起立可能に構成された起立部(85)と、肌面側シートに接合され、かつ起立部の起立支点となる基端縁を含む基端部(84、87)と、を有する。起立部の少なくとも一部は、基端部よりも前側の折り目において後側に折り返され、基端部に対して肌対向面側に起立可能に構成されている。基端部には、液不透過性のフィルム層(813)が配置されている。【選択図】図５
2020089670.tif 000002
【特許請求の範囲】
【請求項１】
互いに直交する前後方向及び幅方向と、
前胴回り域、後胴回り域、及び前記前胴回り域及び前記後胴回り域との間に配置された股下域と、
吸収コアと、
前記吸収コアよりも肌対向面側に位置する肌面側シートと、
前記後胴回り域において、前記肌面側シートよりも肌対向面側に位置し、前記幅方向に伸縮するウエストバンドと、を有し、
前記ウエストバンドは、起立可能に構成された起立部と、前記肌面側シートに接合され、かつ前記起立部の起立支点となる基端縁を含む基端部と、を有する使い捨ておむつであって、
前記起立部の少なくとも一部は、前記基端部よりも前側の折り目において後側に折り返され、前記基端部に対して肌対向面側に起立可能に構成されており、
前記基端部には、液不透過性のフィルム層が配置されている、使い捨ておむつ。
【請求項２】
前記フィルム層は、前記起立部にも配置されている、請求項１に記載の使い捨ておむつ。
【請求項３】
前記フィルム層は、前記起立部と前記基端部に連なって配置されている、請求項２に記載の使い捨ておむつ。
【請求項４】
前記起立部は、着用者の肌に当接する肌当接面を有する肌当接部を有し、
前記フィルム層は、前記肌当接部に配置されている、請求項２又は請求項３に記載の使い捨ておむつ。
【請求項５】
前記肌面側シートは、前記使い捨ておむつの前記幅方向の中央に配置された表面シートと、前記表面シートの前記幅方向の外側部を覆う一対のサイドシートと、を有し、
前記一対のサイドシートのそれぞれは、防漏弾性部材の収縮によって起立する収縮部及び前記収縮部よりも後側において前記収縮部の起立支点となる支点部を有する一対の防漏ギャザーを構成し、
前記一対の防漏ギャザーの前記支点部によって挟まれた領域には、前記フィルム層が配置されている、請求項２から請求項４のいずれか１項に記載の使い捨ておむつ。
【請求項６】
前記ウエストバンドは、前記フィルム層と不織布層とが積層されたシート材を有し、
前記フィルム層の光線透過率は、前記不織布層の光線透過率よりも低い、請求項１から請求項５のいずれか１項に記載の使い捨ておむつ。
【請求項７】
前記ウエストバンドは、前記フィルム層と不織布層とが積層されたシート材を有し、
前記フィルム層と前記不織布層を接合する接着剤を有しており、
前記接着剤は、細線の形状を有し、平面視にて所定パターンを形成しており、
前記所定パターンは、オメガパターン、ウェイブパターン又はスパイラルパターンを有する、請求項１から請求項６のいずれか１項に記載の使い捨ておむつ。
【請求項８】
前記起立部は、着用者の肌に当接する肌当接面を有する肌当接部を有し、
前記肌当接部には、最も肌対向面側に配置された不織布層と、前記フィルム層と、前記幅方向に伸縮可能なバンド弾性部材と、が設けられており、
前記バンド弾性部材は、前記最も肌対向面側に配置された不織布層と前記フィルム層の間に配置されている、請求項６又は請求項７に記載の使い捨ておむつ。
【請求項９】
前記起立部は、着用者の肌に当接する肌当接面を有する肌当接部を有し、
前記肌当接部には、前記フィルム層と、前記最も肌対向面側に配置された不織布層と、前記幅方向に伸縮可能なバンド弾性部材と、が設けられており、
前記バンド弾性部材は、前記フィルム層よりも非肌対向面側に配置されている、請求項６又は請求項７に記載の使い捨ておむつ。
【請求項１０】
前記基端部は、前記ウエストバンドの外側部に位置する第１基端部を有し、
前記フィルム層は、前記折り目を基点に折り返され、前記第１基端部と重なる領域において２層以上配置されている、請求項６から請求項９のいずれか１項に記載の使い捨ておむつ。
【発明の詳細な説明】
【技術分野】
【０００１】
本発明は、ウエストバンドを有する使い捨ておむつに関する。
【背景技術】
【０００２】
後胴回り域にウエストバンドを配置した使い捨ておむつが知られている（例えば、特許文献１及び特許文献２参照）。ウエストバンドは、起立可能に構成された起立部と、肌面側シートに接合され、かつ起立部の起立支点となる基端部と、を有する。ウエストバンドの起立部は、着用者側に立ち上がり、ウエスト開口側に移動する排泄物を収容する収容空間を形成する。
【先行技術文献】
【特許文献】
【０００３】
【特許文献１】米国特許公開公報２０１８／７１１５５号
【特許文献２】米国特許公開公報２０１８／５５６９８号
【発明の概要】
【発明が解決しようとする課題】
【０００４】
ウエストバンドによって収容する排泄物は、軟便など水分を多く含むものがある。水分を多く含む排泄物によっては、ウエストバンドから滲み出し、身体に付着するおそれがある。特に、ウエストバンドの基端部に排泄物が滲み出すと、基端部を介して肌面側シートからウエストバンド側に排泄物が滲み出し、排泄物が肌に付着するおそれがある。
【０００５】
よって、排泄物がウエストバンド側に滲み出すことによって排泄物が肌に付着することを抑制できる使い捨ておむつが望まれる。
【課題を解決するための手段】
【０００６】
一態様に係る使い捨ておむつは、互いに直交する前後方向及び幅方向と、前胴回り域、後胴回り域、及び前記前胴回り域及び前記後胴回り域との間に配置された股下域と、吸収コアと、前記吸収コアよりも肌対向面側に位置する肌面側シートと、前記後胴回り域において、前記肌面側シートよりも肌対向面側に位置し、前記幅方向に伸縮するウエストバンドと、を有し、前記ウエストバンドは、起立可能に構成された起立部と、前記肌面側シートに接合され、かつ前記起立部の起立支点となる基端縁を含む基端部と、を有する使い捨ておむつであって、前記起立部の少なくとも一部は、前記基端部よりも前側の折り目において後側に折り返され、前記基端部に対して肌対向面側に起立可能に構成されており、前記基端部には、液不透過性のフィルム層が配置されている。
【図面の簡単な説明】
【０００７】
【図１】図１は、実施の形態に係る使い捨ておむつを肌対向面側から見た模式平面図である。
【図２】図２は、図１に示す２Ａ−２Ａ線に沿った模式断面図である。
【図３】図３は、図１に示す３Ａ−３Ａ線に沿った模式断面図である。
【図４】図４は、伸長状態における図１に示す４Ａ−４Ａ線に沿った模式断面図である。
【図５】図５は、自然状態における図１に示す４Ａ−４Ａ線に沿った模式断面図である。
【図６】図６は、図５を基準とした断面における着用状態を模式的に示した図である。
【０００８】
（１）実施形態の概要
本明細書及び添付図面の記載により、少なくとも以下の事項が明らかとなる。
一態様に係る使い捨ておむつは、互いに直交する前後方向及び幅方向と、前胴回り域、後胴回り域、及び前記前胴回り域及び前記後胴回り域との間に配置された股下域と、吸収コアと、前記吸収コアよりも肌対向面側に位置する肌面側シートと、前記後胴回り域において、前記肌面側シートよりも肌対向面側に位置し、前記幅方向に伸縮するウエストバンドと、を有し、前記ウエストバンドは、起立可能に構成された起立部と、前記肌面側シートに接合され、かつ前記起立部の起立支点となる基端縁を含む基端部と、を有する使い捨ておむつであって、前記起立部の少なくとも一部は、前記基端部よりも前側の折り目において後側に折り返され、前記基端部に対して肌対向面側に起立可能に構成されており、前記基端部には、液不透過性のフィルム層が配置されている。
【０００９】
本態様によれば、ウエストバンドの起立部は、基端部を基点に起立する。起立部における基端部よりも前側の領域及び折り返された領域の少なくとも一方は、排泄物を収容するポケットを形成する。このとき、フィルム層が基端部に配置されているため、基端部を介して肌面側シートからウエストバンド側に排泄物が滲み出すことを抑制できる。よって、基端部を介するウエストバンド側への排泄物の滲み出しを抑制し、排泄物が肌に付着することを抑制できる。また、起立部において後側に折り返された起領域が基端部と肌の間に配置されることにより、基端部側から多くの排泄物が滲み出した場合であっても肌への排泄物の接触を防ぐことができる。
【００１０】
好ましい一態様によれば、前記フィルム層は、前記起立部にも配置されてよい。
【００１１】
本態様によれば、起立部は、フィルム層によって剛性が高くなり、起立性が高くなる。また、起立部を介する肌への排泄物の滲み出しを抑制し、排泄物が肌に付着することを抑制できる。
【００１２】
好ましい一態様によれば、前記フィルム層は、前記起立部と前記基端部に連なって配置されてよい。
【００１３】
本態様によれば、基端部と起立部に連続したフィルム層の壁を形成し、基端部と起立部において排泄物の漏れを防止する壁を一体化して形成できる。基端部のフィルム層と起立部のフィルム層が別々に形成された構成と比較して、フィルム層間の隙間からの滲み出しを抑制し、排泄物が肌に付着することをより抑制できる。
【００１４】
好ましい一態様によれば、前記起立部は、着用者の肌に当接する肌当接面を有する肌当接部を有し、前記フィルム層は、前記肌当接部に配置されてよい。
【００１５】
本態様によれば、肌当接部は、フィルム層によって剛性が高くなり、肌当接部のよれを抑制し、肌に対する追従性が向上する。ウエストバンドの肌に対する密着性を確保し、排泄物の漏れをより抑制できる。
【００１６】
好ましい一態様によれば、記肌面側シートは、前記使い捨ておむつの前記幅方向の中央に配置された表面シートと、前記表面シートの前記幅方向の外側部を覆う一対のサイドシートと、を有し、前記一対のサイドシートのそれぞれは、防漏弾性部材の収縮によって起立する収縮部及び前記収縮部よりも後側において前記収縮部の起立支点となる支点部を有する一対の防漏ギャザーを構成し、前記一対の防漏ギャザーの前記支点部によって挟まれた領域には、前記フィルム層が配置されてよい。
【００１７】
本態様によれば、一対の防漏ギャザーによって排泄物の横漏れを抑制する壁を形成できる。当該壁は、後胴回り域において少なくとも左右の支点部を基点として形成される。また、一対の防漏ギャザーの支点部によって挟まれた領域には、ウエストバンドのフィルム層が配置されている。一対の防漏ギャザーの支点部によって挟まれた領域は、ウエストバンドのフィルム層によってウエスト開口側への排泄物の漏れを抑制できる。腰部近傍に排出された排泄物を、一対の防漏ギャザーとウエストバンドによって囲み、漏れを抑制できる。
【００１８】
好ましい一態様によれば、前記ウエストバンドは、前記フィルム層と不織布層とが積層されたシート材を有し、前記フィルム層の光線透過率は、前記不織布層の光線透過率よりも低くてよい。
【００１９】
本態様によれば、フィルム層によって排泄物の漏れを抑制するととともに、排泄物の隠蔽性を高めることができる。ウエストバンドに収容された排泄物を使い捨ておむつの外側から視認し難くなり、漏れに対する安心感を付与できる。
【００２０】
好ましい一態様によれば、前記ウエストバンドは、前記フィルム層と不織布層とが積層されたシート材を有し、前記フィルム層と前記不織布層を接合する接着剤を有しており、前記接着剤は、細線の形状を有し、平面視にて所定パターンを形成しており、前記所定パターンは、オメガパターン、ウェイブパターン又はスパイラルパターンを有してよい。
【００２１】
本態様によれば、不織布層には、繊維間の細かな空隙が形成されている。軟便は、細かな隙間に吸い上げられ、ウエストバンド内を拡散し、ウエスト開口側にも移動する。このとき、接着剤により接合されて密となった領域によって軟便が留まり、ウエスト開口側への軟便の滲み出しを抑えることができる。また、フィルム層と不織布層を接着する接着剤の所定パターンがオメガパターン、ウェイブパターン又はスパイラルパターンであるため、フィルム層と不織布層が接合された部分と、フィルム層と不織布層が接合されていない部分と、が形成される。フィルム層と不織布層が接合されていない部分は、フィルム層と不織布層に間に空隙が形成され、当該空隙によって排泄物の厚さ方向の移動を抑制できる。また、不織布層における繊維間の空隙を介して排泄物が拡散しても、当該空隙によって排泄物のフィルム層側への移動を抑制し、排泄物の滲み出しを抑制できる。
【００２２】
好ましい一態様によれば、前記起立部は、着用者の肌に当接する肌当接面を有する肌当接部を有し、前記肌当接部には、最も肌対向面側に配置された不織布層と、前記フィルム層と、前記幅方向に伸縮可能なバンド弾性部材と、が設けられており、前記バンド弾性部材は、前記最も肌対向面側に配置された不織布層と前記フィルム層の間に配置されてよい。
【００２３】
本態様によれば、バンド弾性部材の収縮によって肌に当接する不織布層も収縮し易くなる。不織布層に凹凸が形成され、肌とウエストバンドとの接触面積が低減し、肌触りを向上できる。また、肌とウエストバンドとの接触面積が低減することにより、ウエストバンドの肌への圧力が高くなる。そのため、バンド弾性部材の収縮によってウエストバンドと肌との密着性が高くなり、漏れをより抑制できる。
【００２４】
好ましい一態様によれば、前記起立部は、着用者の肌に当接する肌当接面を有する肌当接部を有し、前記肌当接部には、前記フィルム層と、前記最も肌対向面側に配置された不織布層と、前記幅方向に伸縮可能なバンド弾性部材と、が設けられており、前記バンド弾性部材は、前記フィルム層よりも非肌対向面側に配置されてよい。
【００２５】
本態様によれば、バンド弾性部材の収縮によってフィルム層も収縮し易くなる。フィルム層は、最も肌対向面側に配置された不織布層よりも厚さ方向内側に位置している。ウエストバンドの収縮によってウエストバンドの厚さ方向の内側に空間を形成し、排泄物の収容空間を広く設け、漏れを抑制できる。また、肌当接部は、フィルム層がない構成と比較して、フィルム層によって剛性が高くなる。よって、バンド弾性部材によって収縮し難くなり、肌に対する接触面積が増加しやすい。肌とウエストバンドの接触面積が増加することにより、ウエストバンドの肌への圧力が低くなり、肌触りを向上できる。
【００２６】
好ましい一態様によれば、前記基端部は、前記ウエストバンドの外側部に位置する第１基端部を有し、前記フィルム層は、前記折り目を基点に折り返され、前記第１基端部と重なる領域において２層以上配置されてよい。
【００２７】
本態様によれば、フィルム層は、第１基端部と重なる領域において２層以上配置されている。フィルム層が２層以上配置されているため、排泄物の滲み出しをより抑制でき、排泄物が肌に付着することを抑制できる。
【００２８】
（２）使い捨ておむつの全体概略構成
以下、図面を参照して、実施形態に係る使い捨ておむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２９】
使い捨ておむつは、テープ型の使い捨ておむつである。なお、本発明に係る使い捨ておむつは、テープ型の使い捨ておむつであってもよいし、パンツ型の使い捨ておむつであってもよい。図１は、実施形態に係る使い捨ておむつ１０の肌対向面側から見た模式平面図である。図２は、図１に示す使い捨ておむつの２Ａ−２Ａ断面に沿った模式断面図である。図３は、図１に示す使い捨ておむつの３Ａ−３Ａ断面に沿った模式断面図である。図１から図３は、伸長状態の使い捨ておむつを示している。なお、本発明における伸長状態とは、使い捨ておむつ１０を皺が形成されない状態まで伸長させた状態である。また、本発明における自然状態とは、パッケージに収容されている使い捨ておむつ１０にあっては、パッケージから使い捨ておむつ１０を取り出し、２０℃±２℃、相対湿度６０％±５％ＲＨの雰囲気下において２４時間放置した状態である。図４は、伸長状態における図１に示す４Ａ−４Ａ線に沿った模式断面図である。図５は、自然状態における図１に示す４Ａ−４Ａ線に沿った模式断面図である。図２から図５に示す模式断面図では、説明の便宜上、各部材を厚さ方向Ｔにおいて離間して示しているが、実際の製品においては厚さ方向Ｔに接している。図６は、図５を基準とした断面における着用状態を模式的に示した図である。図６に示すＢＬは、着用者の身体のラインを示している。
【００３０】
使い捨ておむつ１０は、互いに直交する前後方向Ｌ及び幅方向Ｗを有する。前後方向Ｌは、身体前側と身体後側とに延びる方向によって規定される。言い換えると、前後方向Ｌは、展開された使い捨ておむつ１０において前後に延びる方向である。また、使い捨ておむつ１０は、前後方向Ｌと幅方向Ｗの両方の直交する厚さ方向Ｔを有する。厚さ方向Ｔは、着用者側に向かう肌対向面側Ｔ１と、肌対向面側Ｔ１と反対側の非肌対向面側Ｔ２と、に延びる。
【００３１】
使い捨ておむつ１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域であり、装着時に身体が載せられる領域を含む。股下域Ｓ３は、着用者の股下に位置し、前胴回り域Ｓ１と後胴回り域Ｓ２との間に配置された領域である。股下域Ｓ３は、着用者の脚回りに配置される脚回り開口部６５が設けられた領域である。脚回り開口部６５は、使い捨ておむつの外側縁から幅方向の内側に凹む部分である。
【００３２】
使い捨ておむつ１０は、吸収材料を含む吸収コア３１を含む。吸収コア３１は、粉砕パルプもしくは高吸収性ポリマー（ＳＡＰ）、又はこれらの混合物等の吸収材料を含む。吸収コア３１は、図示しないコアラップによって覆われてよい。吸収コア３１とコアラップによって吸収体が構成されてよい。コアラップは、テッシュ又はＳＭＳ不織布によって構成され、吸収コア３１の肌対向面側Ｔ１と吸収コア３１の非肌対向面側Ｔ２に配置されてよい。
【００３３】
図２及び図３に示すように、使い捨ておむつ１０は、吸収コア３１よりも肌対向面側Ｔ１に位置する肌面側シート２０を有する。肌面側シート２０は、吸収コア３１を覆い、かつ使い捨ておむつ１０の全体に亘って配置されている。本実施形態の肌面側シート２０は、表面シート２１と一対のサイドシート２２を含む。なお、コアラップを有する使い捨ておむつにあっては、肌面側シート２０は、コアラップよりも肌対向面側Ｔ１に位置するシートである。表面シート２１は、吸収コア３１の幅方向Ｗの中心を跨いで配置されてよい。サイドシート２２は、表面シート２１の両外側部を覆うように配置されてよい。表面シート２１及びサイドシート２２は、例えば不織布や開孔プラスチックフィルムのような透液性シートによって構成されていてよい。
【００３４】
一対のサイドシート２２のそれぞれは、防漏ギャザー６０を構成してよい。防漏ギャザー６０は、収縮部６３と支点部６４を有し、左右に離間してよい。サイドシート２２の内側部は、折り返されて重なってよい。重なったサイドシート２２間には、前後方向Ｌに伸縮する防漏弾性部材６１が設けられてよい。防漏弾性部材６１は、前後方向Ｌに伸縮する糸ゴムによって構成されてよい。防漏ギャザーの収縮部６３は、防漏弾性部材６１の収縮によって肌対向面側Ｔ１に起立し、使い捨ておむつ１０の幅方向の中心の側方において横漏れを防ぐ壁を形成する。支点部６４は、収縮部６３の起立支点となる。支点部６４は、サイドシート２２と表面シート２１が接合されている。収縮部６３は、サイドシート２２が表面シート２１に接合されてなく、防漏弾性部材６１によって収縮可能な部分であり、非伸長状態の防漏弾性部材６１が配置された部分を含まない。支点部６４は、収縮部６３よりも前後方向の外側に位置する第１支点部６４Ａと、収縮部６３よりも幅方向Ｗの外側に位置する第２支点部６４Ｂと、を有する。第１支点部６４Ａは、収縮部６３よりも前側と後側にそれぞれ設けられており、後側に位置する第１支点部６４Ａは、本発明の支点部を構成する。
【００３５】
ここで、本発明における外側部とは、幅方向Ｗにおける外側の縁を含む幅方向Ｗに一定の範囲を占める部分であり、外側縁とは、幅方向Ｗにおける外側の縁である。また、内側部とは、幅方向Ｗにおける内側の縁を含む幅方向Ｗに一定の範囲を占める部分であり、内側縁とは、幅方向Ｗにおける内側の縁である。
【００３６】
使い捨ておむつ１０は、吸収コア３１よりも非肌対向面側Ｔ２に位置する非肌面側シート２５を有する。非肌面側シート２５は、吸収コア３１を覆い、かつ使い捨ておむつの全体に亘って配置されている。本実施形態の非肌面側シート２５は、裏面シート２３と外装シート２４を含む。なお、コアラップを有する使い捨ておむつにあっては、非肌面側シート２５は、コアラップよりも非肌対向面側Ｔ２に位置するシートである。裏面シート２３は、液不透過性のシートであり、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。外装シート２４は、裏面シート２３の非肌対向面側Ｔ２に設けられてよい。外装シート２４は、液透過性の不織布によって構成されてよい。裏面シート２３の幅方向Ｗの長さは、外装シート２４の幅方向Ｗの長さよりも短く、裏面シート２３の前後方向Ｌの長さは、外装シート２４の前後方向Ｌの長さよりも短くてよい。
【００３７】
後胴回り域Ｓ２には、ファスニングテープ９０が設けられている。ファスニングテープ９０は、ベース部９２と係止部９３を有する。ベース部９２の少なくとも一部は、肌面側シート２０と非肌面側シート２５の間に接合され、かつ肌面側シート２０と非肌面側シート２５から幅方向Ｗの外側に延出する。係止部９３は、ベース部９２上に設けられ、ターゲット部９５（図１参照）に着脱可能に止着される。ファスニングテープ９０は、後胴回り域Ｓ２において幅方向Ｗに沿って延び、ターゲット部９５に止着されることにより、使い捨ておむつ１０を着用者の身体に保持する。ターゲット部９５は、前胴回り域Ｓ１に配置されており、ファスニングテープ９０がそれぞれ止着するように構成されている。
【００３８】
使い捨ておむつ１０は、後胴回り域Ｓ２において肌面側シート２０の肌対向面側Ｔ１に配置されたウエストバンド８０を有する。ウエストバンド８０は、幅方向に伸縮可能に構成されており、着用時に肌面側シート２０から浮き上がり、排泄物を収容する第１ポケットＰ１を形成する。第１ポケットＰ１は、ウエスト開口６６側に移動する排泄物を収容し、本発明のポケットを構成する。ウエストバンド８０の構成については、後述にて詳細に説明する。ウエスト開口６６は、使い捨ておむつの後端縁１０Ｒと前端縁１０Ｆによって構成され、ファスニングテープ９０がターゲット部９５に止着した状態で腰回りを囲む部分である。
【００３９】
サイドシート２２と裏面シート２３の間、又はサイドシート２２と外装シート２４の間には、前後方向Ｌに延びる脚回り弾性部材４２が設けられてよい。脚回り弾性部材４２は、前後方向Ｌに伸縮する帯状の伸縮シートによって構成されてよい。脚回り弾性部材４２の収縮によって、着用時に使い捨ておむつ１０が脚回りにフィットする。脚回り弾性部材４２は、吸収コア３１よりも幅方向Ｗの外側において、少なくとも股下域Ｓ３において脚回り開口部６５に沿って配置されている。脚回り弾性部材４２は、外装シート２４とサイドシート２２の間、及び裏面シート２３とサイドシート２２の間に配置されている。
【００４０】
サイドシート２２と裏面シート２３の間、及びサイドシート２２と外装シート２４の間には、幅方向Ｗに延びる腰回り弾性部材４５が設けられてよい。腰回り弾性部材４５は、幅方向Ｗに伸縮する略矩形の伸縮シートによって構成されてよい。腰回り弾性部材４５は、肌面側シート２０と非肌面側シート２５の間に接合されている。より詳細には、図４に示すように、腰回り弾性部材４５は、幅方向Ｗに伸長した状態で、吸収コア３１と非肌面側シート２５の間、又は肌面側シート２０と非肌面側シート２５の間に接合されている。腰回り弾性部材４５の収縮によって、着用時に使い捨ておむつ１０が腰回りにフィットする。腰回り弾性部材４５は、少なくとも後胴回り域Ｓ２に配置されている。
【００４１】
（３）ウエストバンドの構成
次いで、ウエストバンド８０の構成について詳細に説明する。図２及び図５に示すように、ウエストバンド８０は、シート材８１が折り返されて構成されてよい。シート材８１は、複数のシートが積層されてよい。ウエストバンド８０は、シート材８１に接合されたバンド弾性部材８２を有してよい。他の形態において、ウエストバンド８０は、バンド弾性部材８２を有さず、シート材８１自体が伸縮性を有していてよい。本実施形態のウエストバンド８０のシート材８１は、第１不織布層８１１と、第２不織布層８１２と、第１不織布層８１１と第２不織布層８１２の間に配置されたフィルム層８１３と、を含む。第１不織布層８１１と第２不織布層８１２は、本発明の不織布層を構成している。第１不織布層８１１と第２不織布層８１２は、同一の不織布によって構成され、ウエストバンド８０の折り返し部８６の頂点において折り返されている。第１不織布層８１１は、ウエストバンド８０において最も肌面側シート２０側に位置している。なお、他の形態において、ウエストバンド８０は、フィルム層８１３のみによって構成されていてもよいし、フィルム層８１３と第１不織布層８１１のみによって構成されていてよい。第１不織布層８１１と第２不織布層８１２は、異なる不織布によって構成されていてもよい。
【００４２】
バンド弾性部材８２は、糸状又は帯状の弾性部材によって構成され、幅方向Ｗに伸長した状態で、シート材８１に固定されている。本実施形態のバンド弾性部材８２は、第１不織布層８１１とフィルム層８１３との間に固定されている。バンド弾性部材８２は、前後方向Ｌに間隔を空けて複数配置されている。バンド弾性部材８２は、後述する対向部８３と折り返し部８６において、それぞれ複数配置されている。
【００４３】
ウエストバンド８０は、肌面側シート２０に対して起立可能に構成された起立部８５と、起立部８５の起立支点となる基端縁を含む基端部と、を有する。基端部は、ウエストバンドの外側部に位置する第１基端部８７と、ウエストバンドの後端部に位置する第２基端部８４と、を有する。第１基端部８７及び第２基端部８４は、肌面側シートに対向し、かつ肌面側シートに接合されている。図１において、第１基端部８７と第２基端部８４とに異なる斜線を付して示す。
【００４４】
第１基端縁は、第１基端部８７と起立部８５の境界であり、起立部８５と幅方向Ｗに隣接する。第１基端縁は、第１基端部８７の内側縁８７Ｉ（図２参照）によって構成されている。第１基端部８７は、第１基端縁から幅方向Ｗの外側に延びる。第１基端部８７の外側縁８７Ｅは、ウエストバンド８０の外側縁８０Ｅの近傍に配置されてよく、ウエストバンド８０の外側縁８０Ｅに到達してよい。第２基端縁は、第２基端部８４と起立部８５の境界であり、起立部８５と前後方向に隣接する。第２基端縁は、第２基端部８４の前端縁８４Ｆ（図４参照）によって構成されている。第２基端部８４は、第２基端縁から後側に延びている。第２基端部８４の後端縁８４Ｒは、ウエストバンド８０の後端縁８０Ｒまで延びてよく、使い捨ておむつ１０の後端縁１０Ｒに一致してもよい。
【００４５】
ウエストバンド８０は、幅方向Ｗに伸縮可能に構成されている。ウエストバンド８０は、バンド弾性部材８２によって幅方向に伸縮するように構成されていてもよいし、シート材が伸縮性を有することによって幅方向に伸縮するように構成されていてもよい。ウエストバンド８０は、少なくとも起立部が収縮可能に構成されていればよく、起立部及び基端部の全体が収縮可能に構成されていてもよい。
【００４６】
ウエストバンド８０は、ウエストバンド８０において最も肌面側シート２０側に位置する対向部８３を有する。対向部８３は、肌面側シート２０に当接可能な部分であり、最も肌面側シート２０側に位置するシート材８１を含んだ部分であって、折り目ＦＬを基点に折り返されていない部分によって構成されている。折り目ＦＬは、対向部８３の前端縁に位置する。本実施形態の対向部８３は、折り目ＦＬに対して折り返されていない部分であり、折り目ＦＬよりも後側に位置している。図４において、対向部８３に斜線を付して示す。
【００４７】
図４に示すように、対向部８３には、第１基端部８７と、第２基端部８４と、延出部８８と、が設けられている。延出部８８は、第２基端縁から前側に延びる領域である。延出部８８は、左右の第１基端縁間の領域である。延出部８８は、起立部８５の一部を構成する。
【００４８】
図５及び図６に示すように、対向部８３における延出部８８と肌面側シート２０とによって挟まれた空間によって、前側に向かって開口する第１ポケットＰ１を形成している。第１ポケットＰ１によって股下域Ｓ３側からウエスト開口６６側へ拡散する排泄物を収容できる。第１ポケットＰ１の後端縁は、第２基端部８４の前端縁８４Ｆであり、第１ポケットＰ１の外側縁は、第１基端部８７の内側縁である。すなわち、第１ポケットＰ１は、第２基端部８４の前端縁８４Ｆと、一対の第１基端部８７の内側縁と、によって囲まれている。第１ポケットＰ１の前端縁は、対向部８３の前端縁となる。
【００４９】
ウエストバンド８０は、対向部８３に対して折り返された折り返し部８６を有する。折り返し部８６は、折り目ＦＬを基点に肌面側に折り返された部分である。折り返し部８６は、図４において、斜線が付されていないウエストバンドの部分である。図６に示すように、折り返し部８６は、肌面側シート２０から離れる側に折り畳まれており、身体に接する領域となる。延出部８８に対して起立可能な折り返し部８６が設けられていることにより、第１ポケットＰ１による収容空間をより確保し易くなる。なお、変形例に係るウエストバンド８０は、折り返し部８６を有していなくてもよい。
【００５０】
折り返し部８６の少なくとも一部は、肌当接面８９Ａを有する肌当接部８９を構成する。肌当接面８９Ａは、ウエストバンドにおいて最も肌面側に位置する面であり、着用者の肌に当接する面である。肌当接部８９は、肌当接面８９Ａを有する部分である。本実施の形態のウエストバンド８０は、折り返し部８６の全体が肌当接部８９を構成する。しかし、他の形態において、折り返し部８６の一部が更に肌面側に折られた構成にあっては、更に折られた部分が肌当接部８９を構成する。折り返し部８６の少なくとも一部は、起立部８５を構成する。
【００５１】
折り返し部８６は、対向部８３の前端縁８３Ｆから後側に延びる。伸長状態において、折り返し部８６の後端縁８６Ｒは、対向部８３の後端縁８３Ｒと一致していてもよいし、対向部８３の後端縁８３Ｒよりも前側であってもよいし、対向部８３の後端縁８３Ｒよりも後側であってもよい。本実施形態では、折り返し部８６の後端縁８６Ｒと対向部８３の後端縁８３Ｒは、前後方向Ｌにおいて一致している。なお、折り返し部８６の後端縁８６Ｒが対向部８３の後端縁８３Ｒよりも前側に位置する構成にあっては、対向部８３の後端縁８３Ｒがウエストバンド８０の後端縁８０Ｒを構成する。折り返し部８６の後端縁８６Ｒが対向部８３の後端縁８３Ｒよりも後側に位置する構成にあっては、折り返し部８６の後端縁８６Ｒがウエストバンド８０の後端縁８０Ｒを構成する。
【００５２】
変形例に係るウエストバンドは、折り返し部８６の後端縁８６Ｒにおいて幅方向Ｗに延びる折り目を基点に、肌面側シート２０から離れる側に折り畳まれていてもよい。折り返し部８６が更に折り畳まれることにより、ウエストバンド８０がより着用者側に起立し、ウエストバンド８０が身体に対してより接しやすくなる。また、変形例においては、対向部８３と肌面側シート２０との間に排泄物を収容するように構成されていてもよいし、折り目ＦＬから後側に延びる折り返し部８６と、更に折り畳まれた折り返し部８６との間に排泄物を収容するように構成されていてもよい。
【００５３】
図２及び図３に示すように、折り返し部８６の外側部は、ウエストバンドの折り返されていない部分（対向部８３）に対して接合部９８を介して接合されている。接合部９８は、折り返し部８６の幅方向の両側部に一対で設けられている。一対の接合部９８の間の領域の折り返し部８６は、対向部８３に対して着用者側に起立する起立部８５を構成する。
【００５４】
起立部８５は、対向部８３と折り返し部８６に跨って設けられている。起立部８５の少なくとも一部は、基端部よりも前側の折り目ＦＬにおいて後側に折り返され、基端部に対して肌対向面側に起立可能に構成されている。折り返し部８６と対向部８３とによってウエスト開口６６側に開口する第２ポケットＰ２を形成する。図６に示すように、着用状態において肌当接部８９が肌に当接した状態で対向部８３が身体から離れると、身体の動きによって第２ポケットＰ２の空間が変形する。例えば、着用者が前屈みの姿勢になった場合などウエスト開口６６が着用者の腰部から離れた際に、折り返し部８６と対向部８３の空間が広がり、ウエストバンド８０の起立部８５が身体に追従し易くなる。よって、ウエスト開口６６側への排泄物の漏れを抑制できる。加えて、起立部８５は、基端部から起立可能であり、基端部近傍に排泄物が滲み出した場合であっても排泄物が着用者に到達し難い。よって、排泄物が肌に付着することを抑制できる。
【００５５】
ウエストバンド８０は、後胴回り域Ｓ２においてウエスト開口６６の近傍に配置されてよい。ウエストバンド８０の前端縁８０Ｆは、ファスニングテープ９０の前端縁９０Ｆよりも後側に位置してよい。ウエストバンドの後端縁８０Ｒは、使い捨ておむつの後端縁１０Ｒに一致してよい。ウエストバンド８０の外側縁８０Ｅは、吸収コア３１の外側縁３１Ｅよりも幅方向の外側に位置してよく、ファスニングテープ９０の内側縁よりも幅方向の内側に位置してもよい。第２基端部８４の前端縁８４Ｆは、伸長状態において、吸収コア３１の後端縁３１Ｒよりも後側に位置してよいし、吸収コア３１の後端縁３１Ｒと一致していてもよい。なお、本実施形態の使い捨ておむつ１０は、第２基端部８４の後端縁８４Ｒ、対向部８３の後端縁８３Ｒ、ウエストバンドの後端縁８０Ｒ及び使い捨ておむつ１０の後端縁１０Ｒは、前後方向Ｌにおける位置が一致している。
【００５６】
ウエストバンドの基端部には、不透過性のフィルム層８１３が配置されている。フィルム層８１３は、第１基端部８７の少なくとも一部又は第２基端部８４の少なくとも一部に配置されていればよい。ウエストバンドの起立部は、第１基端部８７の第１基端縁及び第２基端部８４の第２基端縁を基点に起立し、対向部８３と肌面側シート２０によって排泄物を収容する第１ポケットＰ１を形成する。第１ポケットＰ１内に収容された排泄物が水分を多く含む場合、排泄物が第１基端部８７側及び第２基端部８４側に滲み出すことがある。このとき、フィルム層８１３が基端部に配置されているため、基端部を介して肌面側シート２０からウエストバンド８０側に排泄物が滲み出すことを抑制できる。よって、基端部を介するウエストバンド側への排泄物の滲み出しを抑制し、排泄物が肌に付着することを抑制できる。フィルム層８１３は、基端部に配置されていればよく、不織布層に対する厚さ方向の位置は限定されず、第１不織布層８１１と肌面側シート２０の間であってもよく、好適には、第２不織布層８１２よりも肌面側であってよく、より好適には、第１不織布層８１１と第２不織布層８１２の間であってもよい。
【００５７】
また、第１ポケットＰ１の収容空間の肌面側には、対向部８３のフィルム層８１３と、折り返し部８６のフィルム層８１３と、が配置されている。すなわち、排泄物の収容空間よりも肌面側に少なくとも２層のフィルム層８１３が配置される。起立部８５において後側に折り返された領域（折り返し部８６）が基端部（第１基端部８７及び第２基端部８４）と肌の間に配置されることにより、基端部側から多くの排泄物が滲み出した場合であっても肌への排泄物の接触を防ぐことができる。よって、収容空間から体液が滲み出した場合であっても、当該体液が着用者に到達し難く、排泄物がより肌に付着し難くなる。
【００５８】
フィルム層８１３は、起立部８５にも配置されてよい。フィルム層８１３は、起立部８５の少なくとも一部に配置されていればよく、起立部８５の全域に配置されていてもよい。起立部８５は、フィルム層によって剛性が高くなり、起立性が高くなる。また、起立部を介する肌への排泄物の滲み出しを抑制し、排泄物が肌に付着することを抑制できる。
【００５９】
フィルム層８１３は、起立部８５と基端部に連なって配置されてよい。基端部と起立部に連続してフィルム層を配置することにより、基端部と起立部において排泄物の漏れを防止する壁を一体化して形成できる。基端部のフィルム層と起立部のフィルム層が別々に形成された構成と比較して、フィルム層間の隙間からの滲み出しを抑制し、排泄物が肌に付着することをより抑制できる。
【００６０】
フィルム層８１３は、肌当接部８９に配置されてよい。肌当接部は、フィルム層によって剛性が高くなり、肌当接部のよれを抑制し、肌に対する追従性が向上する。ウエストバンドの肌に対する密着性を確保し、排泄物の漏れをより抑制できる。
【００６１】
本実施の形態のウエストバンドでは、第１不織布層８１１、第２不織布層８１２及びフィルム層８１３を有するシート材８１がウエストバンドの全体に、配置されている。フィルム層８１３は、基端部と起立部８５に連なり、かつ基端部と起立部８５の全域に配置されている。
【００６２】
使い捨ておむつの平面視において、一対の防漏ギャザーの第１支点部６４Ａによって幅方向に挟まれた領域には、フィルム層８１３が配置されている。本実施形態では、後胴回り域にウエストバンドが配置されており、後胴回り域Ｓ２において左右の第１支点部６４Ａに挟まれた領域にフィルム層８１３が配置されている。図２において、左右の第１支点部６４Ａに挟まれた領域Ｒ１１の幅方向の範囲を示す。左右の第１支点部６４Ａに挟まれた領域の少なくとも一部にフィルム層８１３が配置されていればよい。着用時には、一対の防漏ギャザー６０の収縮部が起立し、防漏ギャザー６０によって排泄物の横漏れを抑制する壁を形成できる。当該壁は、後胴回り域Ｓ２において少なくとも左右の第１支点部６４Ａを基点として形成される。一対の防漏ギャザーの支点部によって挟まれた領域には、ウエストバンドのフィルム層が配置されている。一対の防漏ギャザー６０の第１支点部６４Ａによって挟まれた領域は、ウエストバンドのフィルム層８１３によってウエスト開口６６側への排泄物の漏れを抑制できる。腰部近傍に排出された排泄物を、一対の防漏ギャザーとウエストバンドによって囲み、漏れを抑制できる。
【００６３】
フィルム層８１３は、折り目ＦＬを基点に折り返され、第１基端部８７と重なる領域において２層以上配置されてよい。フィルム層は、第１基端部と重なる領域において２層以上配置されている。フィルム層が２層以上配置されているため、排泄物の滲み出しをより抑制でき、排泄物が肌に付着することを抑制できる。
【００６４】
ウエストバンド８０のフィルム層８１３の光線透過率は、不織布層の光線透過率よりも低くてよい。フィルム層８１３の光線透過率は、第１不織布層８１１の光線透過率よりも低くてもよいし、第２不織布層８１２の光線透過率よりも低くてもよい。このような構成によれば、フィルム層８１３によって排泄物の漏れを抑制するととともに、排泄物の隠蔽性を高めることができる。ウエストバンド８０に収容された排泄物を使い捨ておむつの外側から視認し難くなり、漏れに対する安心感を付与できる。なお、光線透過率は、周知の方法で測定するとよい。例えば、日本電色工業株式会社製の測色色差計又はそれと同等のものを用いて、ＪＩＳＫ７３７５に準拠して測定できる。
【００６５】
ウエストバンドのフィルム層８１３と不織布層を接合する接着剤を有し、接着剤は、細線の形状を有し、平面視にて所定パターンを形成しており、所定パターンは、オメガパターン、ウェイブパターン又はスパイラルパターンを有してよい。フィルム層８１３と不織布層を接着する接着剤の所定パターンがオメガパターン、ウェイブパターン又はスパイラルパターンであるため、フィルム層８１３と不織布層が接合された部分と、フィルム層と不織布層が接合されていない部分と、が形成される。フィルム層８１３と不織布層が接合されていない部分は、フィルム層８１３と不織布層に間に空隙が形成され、当該空隙によって排泄物の厚さ方向の移動を抑制できる。また、不織布層における繊維間の空隙を介して排泄物が拡散しても、当該空隙によって排泄物のフィルム層側への移動を抑制し、排泄物の滲み出しを抑制できる。加えて、ホットメルト型接着剤によってフィルム層と不織布層を接合する構成にあっては、接着剤を非接触で塗工することで、コータ塗工などによって全面に接着剤を塗布する構成と比較して、接触剤の温度によってフィルム層が破れることを抑制できる。また、不織布層には、繊維間の細かな空隙が形成されている。軟便は、細かな隙間に吸い上げられ、ウエストバンド８０内を拡散し、ウエスト開口６６側にも移動する。このとき、接着剤により接合されて密となった領域によって軟便が留まり、ウエスト開口６６側への軟便の滲み出しを抑えることができる。
【００６６】
肌当接部８９には、最も肌対向面側に配置された第１不織布層８１１と、フィルム層８１３と、バンド弾性部材８２と、が設けられており、バンド弾性部材は、第１不織布層８１１とフィルム層８１３の間に配置されてよい。第１不織布層８１１は、肌に当接する。バンド弾性部材８２の収縮によって肌に当接する第１不織布層８１１も収縮し易くなる。第１不織布層８１１に凹凸が形成され、肌とウエストバンド８０との接触面積が低減し、肌触りを向上できる。また、肌とウエストバンド８０との接触面積が低減することにより、ウエストバンド８０の肌への圧力が高くなる。そのため、バンド弾性部材８２の収縮によってウエストバンド８０と肌との密着性が高くなり、漏れをより抑制できる。
【００６７】
また、他の形態において、バンド弾性部材８２は、フィルム層８１３よりも非肌対向面側に、すなわちフィルム層８１３と第２不織布層８１２との間に配置されてよい。バンド弾性部材８２の収縮によってフィルム層８１３も収縮し易くなる。フィルム層８１３は、第１不織布層８１１よりも厚さ方向の内側（非肌対向面側）に位置している。フィルム層８１３の収縮によってウエストバンド８０の厚さ方向の内側に空間を形成し、排泄物の収容空間を広く設け、漏れを抑制できる。また、肌当接部８９は、フィルム層８１３がない構成と比較して、フィルム層８１３によって剛性が高くなる。よって、バンド弾性部材８２によって収縮し難くなり、肌に対する接触面積が増加しやすい。肌とウエストバンド８０の接触面積が増加することにより、ウエストバンド８０の肌への圧力が低くなり、肌触りを向上できる。
【００６８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００６９】
本発明によれば、排泄物がウエストバンド側に滲み出すことによって排泄物が肌に付着することを抑制できる使い捨ておむつを提供できる。
【符号の説明】
【００７０】
１０        ：使い捨ておむつ
１０Ｆ      ：使い捨ておむつの前端縁
１０Ｒ      ：使い捨ておむつの後端縁
２０        ：肌面側シート
２１        ：表面シート
２２        ：サイドシート
３１        ：吸収コア
３１Ｒ      ：吸収コアの後端縁
６０        ：防漏ギャザー
６１        ：防漏弾性部材
６４Ａ      ：第１支点部（支点部）
６４Ｂ      ：第２支点部
６５        ：脚回り開口部
６６        ：ウエスト開口
８０    ：ウエストバンド
８０Ｆ  ：ウエストバンドの前端縁
８０Ｒ  ：ウエストバンドの後端縁
８１        ：シート材
８１１      ：第１不織布層
８１２      ：第２不織布層
８１３      ：フィルム層
８２        ：バンド弾性部材
８４        ：第２基端部
８４Ｆ      ：第２基端部の前端縁（第２基端縁）
８５        ：起立部
８６        ：折り返し部
８６Ｒ      ：折り返し部の後端縁
８７        ：第１基端部
８７Ｅ      ：第１基端部の内側縁（第１基端縁）
９０        ：ファスニングテープ
９３        ：係止部
ＦＬ        ：折り目
Ｐ１        ：第１ポケット（ポケット）
Ｐ２        ：第２ポケット
Ｓ１        ：前胴回り域
Ｓ２        ：後胴回り域
Ｓ３        ：股下域
Ｔ          ：厚さ方向
Ｔ１        ：肌対向面側
Ｔ２        ：非肌対向面側
Ｌ          ：前後方向
Ｗ          ：幅方向
【図１】
2020089670.tif 000003
【図２】
2020089670.tif 000004
【図３】
2020089670.tif 000005
【図４】
2020089670.tif 000006
【図５】
2020089670.tif 000007
【図６】
2020089670.tif 000008